(57)【要約】【課題】広視野と高解像度の画像を同時に得ることができ、広視野撮影画像内にズーム画像の撮影範囲枠をズーム位置に応じて自動で変更し、表示するという機能を両立させることができる撮像装置を提供する。【解決手段】画角の異なる第1撮像光学系と第2撮像光学系の複数のレンズを有し、第2広視野角レンズの撮像する画像内に、第1レンズのズーム位置に応じた撮影画角範囲枠を表示・保存手段有することを特徴とする。また、第1レンズは撮像装置本体に交換可能な形態であり、取り付けられた第１レンズに連動し、ズーム位置に応じた撮影画角範囲枠を表示することを特徴とする。【選択図】図5
2013251783.tif 000002
【特許請求の範囲】
【請求項１】
第1撮像光学系(10)と、
前記第1撮像光学系と画角の異なる第2撮像光学系(20)と、
スイッチ検出手段(31)と、
を備える複数光学系を有する撮像装置であって、
前記第1撮像光学系(10)は第1レンズ（ズームレンズ又は単焦点レンズ）(11)を有し、
前記第2撮像光学系(20)は第2広視野角のレンズ(21)を有し、
前記第1レンズの焦点距離情報から前記第1レンズのズーム位置を判別するズーム位置判別手段を有し、
前記ズーム位置判別手段から前記第1レンズの所定の画角範囲を決定し、
第2広視野角レンズ(21)の撮像する画像データ内に、前記第1レンズ(11)のズーム位置に応じて決定された撮影画角範囲枠情報を合成し、表示する手段(38)と、
前記撮影画角範囲枠情報を付加した画像データを保存する手段(37)を有することを特徴とする複数光学装置及び制御方法。
【請求項２】
前記第1レンズ(11)は前記撮像装置本体に交換可能な形態であり、前記第1レンズが交換された場合においても、前記ズーム位置判別手段とレンズID情報により、所定の画角範囲とサイズを決定し、第2広視野角レンズ(21)の撮像する画像データ内に、前記第1レンズ(11)のズーム位置に応じて決定された撮影画角範囲枠情報を合成し、表示する手段(38)と、前記撮影画角範囲枠情報を付加した画像データを保存する手段(37)を有することを特徴とする請求項1に記載の複数光学装置及び制御方法。
【請求項３】
前記撮影画角範囲枠情報を付加した画像データを保存する手段(37)は、前記第1レンズ(11)により撮像された画像データと前記第2広視野角のレンズ(21) により撮像された画像データを個別の画像データとして同時に保存する手段を有することを特徴とする請求項1に記載の複数光学装置及び制御方法。
【請求項４】
前記撮影画角範囲枠情報を付加した画像データを保存する手段(37)は、前記第2広視野角レンズ(21)の撮像する画像データへ前記第1レンズ(11)のズーム位置に応じて決定された撮影画角範囲枠情報を合成した画像データを、前記第1レンズ(11)により撮像された画像データ内へ縮小して埋め込み、1画像データとして保存する手段を有することを特徴とする請求項1に記載の複数光学装置及び制御方法。
【請求項５】
前記撮影画角範囲枠情報を合成し、表示する手段(38)は、前記第1レンズ(11)により撮像された画像データと、前記第2広視野角レンズ(21)の撮像する画像データ内に、前記第1レンズ(11)のズーム位置に応じて決定された撮影画角範囲枠情報を合成した画像データを1画面上に並列表示する2画面表示手段を有することを特徴とする請求項1に記載の複数光学装置及び制御方法。
【請求項６】
前記撮影画角範囲枠情報を合成し、表示する手段(38)は、前記第1レンズ(11)により撮像された画像データと第2広視野角レンズ(21)の画像データを、前記スイッチ検出手段(31)により、所定操作が検出された場合に、前記第1レンズ画像データと第2広角レンズ画像データを切り替え表示することを特徴とする請求項1に記載の複数光学系を有する撮像装置及びその制御方法。
【請求項７】
前記第2広視野角レンズ(21)の撮像する画像データ内の画素の移動から、前記第2広視野角レンズ(21)の撮像する画角範囲内を移動する被写体を検知する被写体移動検出手段を有し、前記第2広視野角レンズ(21)の撮像する画像データ内に合成表示する、前記第1レンズ(11)のズーム位置に応じて決定された撮影画角範囲枠へ接近する被写体に合わせ、前記第1レンズ(11)のレリーズタイミングをブザー音、又はランプ表示により通知する接近通知手段を有し、また、通知タイミングに合わせ、自動的にシャッターを切る自動撮影手段を有することを特徴とする請求項1に記載の複数光学装置及び制御方法。
【発明の詳細な説明】
【技術分野】
【０００１】
本発明は、複数の光学系を有する撮像装置に関し、特に複数の光学系にて同時に撮影する際の表示制御方法に関するものである。
【背景技術】
【０００２】
従来から監視カメラなどにおいて複数の光学系を備え、パノラマ画像の任意の位置を拡大表示する撮像装置が知られている。例えば、特許文献１のように同一光軸上にパノラマレンズとズームレンズを配置し、パノラマレンズで取り込まれた画像の一部をズームレンズで拡大表示する手段が開示されている。
【先行技術文献】
【特許文献】
【０００３】
【特許文献１】特開２００５−１４８２６５号公報
【発明の概要】
【発明が解決しようとする課題】
【０００４】
しかしながら、上述の特許文献１に開示された従来技術のパノラマレンズとズームレンズを組み合わせた装置では、パノラマレンズで撮像するリング状の画像の一部を拡大するため、画像端部の一部が欠けてしまい、カメラとして意図した撮影画角の画像とならない課題があった。また、撮影画角の異なる複数の撮像光学系を備えた撮像装置では、全体画像と一部拡大画像を同時に得ることができるが、一部拡大画像が全体画像に対し、相対的にどこの範囲を拡大撮影したかを撮影者が分かる手段がないという課題があった。
【０００５】
そこで、本発明の目的は、このような点を鑑みてなされたものであり、シンプルな構成でありながら、広視野角な画像データと高解像度のズーム画像データを同時に得ることができ、広視野角な画像データ内に高解像度のズーム画像データの撮影画角範囲枠をズーム位置に応じて自動で変更し、表示するという機能を両立させることができる撮像装置を提供することである。
【課題を解決するための手段】
【０００６】
本発明は、第1撮像光学系と、前記第1撮像光学系と画角の異なる第2撮像光学系と、スイッチ検出手段とを備える複数光学系を有する撮像装置であって、前記第1撮像光学系は第1レンズ（ズームレンズ又は単焦点レンズ）を有し、前記第2撮像光学系は第2広視野角のレンズを有し、前記第1レンズのレンズID情報及び焦点距離情報から前記第1レンズのズーム位置を判別するズーム位置判別手段を有し、
前記ズーム位置判別手段から前記第1レンズの所定の画角範囲とサイズを決定し、第2広視野角レンズの撮像する画像データ内に、前記第1レンズのズーム位置に応じて決定された撮影画角範囲枠情報を合成し、表示する手段と、前記撮影画角範囲枠情報を付加した画像データを保存する手段を有することを特徴とする複数光学装置及び制御方法。
【発明の効果】
【０００７】
本発明によれば広視野角の画像データ内にズームレンズ又は単焦点レンズの撮影画角範囲枠を合成表示・保存することで、撮影中及び、撮影後に高解像度の撮影画像データと広視野な周囲画像データの関係を確認することができる。また、レンズを交換した際にも同様にレンズに応じたズーム位置の撮影画角範囲枠を表示する機能を提供することができる。
【図面の簡単な説明】
【０００８】
【図１】実施形態のデジタルカメラのシステム構成図
【図２】デジタルカメラの背面及び側面図
【図３（ａ）】画面表示説明図（その１）
【図３（ｂ）】画面表示説明図（その２）
【図３（ｃ）】画面表示説明図（その３）
【図３（ｄ）】画面表示説明図（その４）
【図３（ｅ）】画面表示説明図（その５）
【図３（ｆ）】画面表示説明図（その６）
【図３（ｇ）】画面表示説明図（その７）
【図３（ｈ）】画面表示説明図（その８）
【図４】実施形態の全体処理フローチャート
【図５】１画面表示切替処理モードのフローチャート
【図６】２画面表示切替処理モードのフローチャート
【図７】接近通知処理モードのフローチャート
【図８】撮影開始処理モードのフローチャート
【図９】保存画像再生処理モードのフローチャート
【発明を実施するための形態】
【０００９】
以下に、本発明の好ましい実施の形態を、添付の図面に基づいて詳細に説明する。
【００１０】
［実施例１］
図1に本実施形態に第1撮像光学系(10)及び第2撮像光学系(20)の二つの光学系を有するデジタルカメラの構成ブロック図を示す。
【００１１】
第1撮像光学系(10)は第1レンズ（あるいはレンズ郡）(11)、第1イメージセンサ(12)を有する。第1レンズはデジタルカメラから着脱可能となっており、任意の焦点距離範囲を持つレンズに交換が可能な仕組みとなっている。第1レンズ（11）により被写体像を第1イメージセンサ(12)に結像する。撮像制御回路(13)は第1イメージセンサ(12)の駆動制御を行うとともに、第1イメージセンサからの画像信号をアナログ/デジタル変換してシステム制御回路(30)に送る。第1レンズ（11）はズームレンズの場合ズーム機構により光軸方向に駆動し、第1レンズの焦点距離を変更することにより、画角を変える事ができる。第1イメージセンサ(12)はCCDやCMOSで構成され、被写体像を画像信号（第1画像信号）に変換して出力する。
【００１２】
第2撮像光学系(20)は第2広視野角レンズ (21)、第2イメージセンサ(22)を有する。第2広視野角レンズ(21)により被写体像を第2イメージセンサ(22)に結像する。撮像制御回路(23)は第2イメージセンサ(22)の駆動制御を行うとともに、第2イメージセンサからの画像信号をアナログ/デジタル変換してシステム制御回路(30)に送る。第2広視野角レンズ(21)は例えばパノラマレンズと呼ばれる広角レンズによって構成されている。パノラマレンズは、その中心光軸を軸にして360°の全方向からの光を、図3(e)に示す画角で取り込み可能なレンズとされる。このようなパノラマレンズ(21)により取り込まれるパノラマ画像光はサークル状（円環状）の画像光とされる。第2イメージセンサ(22)はCCDやCMOSで構成され、被写体像を画像信号（第2画像信号）に変換して出力する。
【００１３】
システム制御回路(30)は第1撮像光学系(10)からの第1画像信号及び第2撮像光学系(20)からの第2画像信号を入力し、輝度信号と色信号の分離、エッジ処理、γ補正、ホワイトバランス調整、JPEG圧縮処理等の各種画像処理を実行し、画像データをLCDなどの表示回路(38)に出力し、あるいは記録用メモリ(37)に出力する。記録用メモリ(37)はデジタルカメラから着脱可能なメモリである。メモリの空き容量が不足した場合は交換が可能な仕組みとなっている。システム制御回路(30)は、第1画像信号と第2画像信号のいずれか、あるいは第1画像信号と第2画像信号の両方を同時に表示回路(38)あるいは記録用メモリ(37)に出力する。システム制御回路(30)の動作はボタン操作回路(31)からの指示信号により決定される。ボタン操作回路(31)はユーザ操作可能な複数のボタンから構成され、ユーザは第1撮像光学系(10)と第2光学系(20)のいずれかの画像データを表示、又は両方の画像データを同時に2画面で表示するかを選択する。第2撮像光学系が選択された場合は、第1レンズ（11）のレンズID情報と焦点距離情報により、第1レンズ（11）のズーム位置（画角範囲）を示す画角範囲を作成し、太線、あるいはハイライト、あるいは点滅表示にて第2画像データに合成し表示回路(38)あるいは記録用メモリ(37)に出力する。レンズID情報はレンズの型番情報を含む情報であり、魚眼レンズなど特殊な画角を持つレンズに対応する画角範囲を作成する際に用いる。ユーザはズーム位置を示す画角範囲枠を視認することで、第2撮像光学系に対する第1撮像光学系の撮影画角範囲を視認することができる。
【００１４】
図2に、デジタルカメラ外観図（a）・（b）を示す。デジタルカメラの上面には第2撮像光学系の第2広視野角レンズ（パノラマレンズ）（100）が設けられ、背面にはLCD（117）、EVF（エレクトリックビューファインダー）（111）が設けられている。また、図1におけるスイッチ操作回路（31）に相当するレリーズボタン（112）、１画面表示切替ボタン（113）、2画面表示切替ボタン（114）、接近通知切り替えボタン（115）、再生ボタン（116）が設けられ、前面には交換可能な第1レンズ（118）が設けられ、第1レンズ（118）がズームレンズである場合には、任意に焦点距離を変更可能なズーム機構（119）が設けられており、第1レンズ（118）が単焦点レンズの場合にはズーム機構（119）は設けれられていない。
【００１５】
図3に、本実施形態で表示される画像データ、ズーム位置を示す画角範囲枠の例を示す。(a) (b) (c)は第1レンズ（11）が例えば35mフィルム換算で10mm〜100mmの焦点距離範囲のズームレンズを有したレンズを装着した場合の画像データであり、それぞれ焦点距離50mm (a)、焦点距離10mm (b)、 焦点距離100mm(c)とそれぞれ画角の異なる画像データを表示する。
【００１６】
図3(d)に第1レンズ（11）の撮影画角範囲の例を示す。第1レンズ（11）に装着されたレンズの焦点距離が50mmである場合を基準とし、第1レンズ（11）の光軸中心点（210）を中心とした撮影画角範囲枠情報 (211)を作成する。撮影画角範囲枠情報(d)は4隅の各座標点(X1、Y1)、 (X2、Y2) 、 (X3、Y3) 、 (X4、Y4)と各座標点を結ぶ線から構成する。この撮影画角範囲枠情報(d)を第1レンズ（11）に装着されたレンズID情報と焦点距離情報から、各座標点の位置を変更する。例えば焦点距離10mmの場合、撮影画角範囲枠情報(d)は第1レンズ（11）の光軸中心点(210)を中心に焦点距離が50mmの場合よりも、大きく表示し(212)、焦点距離100mmの場合は焦点距離50mmの場合よりも、小さく表示する(213)。
【００１７】
図3（e）第2レンズ（21）のパノラマレンズで撮影される画角範囲であるサークル状（円環状）の画像データ内へ撮影画角範囲枠情報(d)を合成表示する場合の画面表示例を示す。第1レンズ（11）に装着されたレンズID情報とズーム位置における焦点距離情報から求めた各座標点のデータより、撮影画角範囲枠情報(d)を合成表示するものである。
【００１８】
図4に、本実施形態の全体処理フローチャートを示す。システム制御回路(30)は操作スイッチ回路(31)のスイッチ状態を取得し（S100）、スイッチ状態を判別して処理を切り替える（S200）。すなわち、スイッチが新たに操作されていなければ現在の設定における画像を表示する（S800）。操作されたスイッチが1画面切替ボタン（13）の1画面表示切替処理モード（S300）が選択された場合の処理ついて説明する。この処理では第1レンズ画像データと第2広視野角レンズの画像データのいずれかを選択的に設定する。
【００１９】
図5に、図4における1画面表示切替処理モード（S300）の詳細フローチャートを示す。1画面表示モードである場合には（S301）、第1レンズ撮影データの取得を開始する（S302）。次に第2広視野角レンズ撮影データの取得を開始する（S303）。次に第1光学系に取り付けられている第1レンズ固有のレンズID情報を取得する（S304）。次に第1レンズの現在のズーム位置（焦点距離）情報を取得する（S305）。次に（S304）と（S305）にて取得した情報から第1レンズの撮影画角範囲枠情報(d)を作成する（S306）。1画面表示切替処理モードは1画面切替ボタン(113)の押し下げ操作をする毎に、第1レンズ画像表示モード→第2広視野角レンズの画像表示モード→第1レンズ画像表示モードと巡回的に切り替わる1画面モードであり、押し下げ操作から現在の表示モードを判別し（S307）、第2広視野角レンズ画像表示モードである場合には、第2広視野角レンズの画像データを画像処理してLCD(117)又は、EVF（エレクトリックビューファインダー）（111）に1画面に表示する（S308）。次に（S306）にて作成した第1レンズのズーム位置（焦点距離）に応じた撮影画角範囲枠情報(d)を合成表示する（S309）。
【００２０】
一方、（S307）において、現在の表示モードが第1レンズ画像表示モードであった場合は、第1レンズの画像データを画像処理してLCD(117)又は、EVF（エレクトリックビューファインダー）（111）に1画面に表示する（S310）、次に第1レンズ撮影データ内へ第2広視野角レンズ撮影データの縮小埋め込み表示処理を判別する設定情報を取得し（S311）、縮小埋め込み表示設定の場合は、第2広視野角レンズ撮影データの縮小埋め込み合成処理を行い（S312）、（S306）にて作成した第1レンズのズーム位置（焦点距離）に応じた撮影画角範囲枠情報(d)を合成表示する（S313）。一方（S311）にて表示モードが縮小埋め込み表示しない場合は、第1レンズ画像データのみLCD(117)又は、EVF（エレクトリックビューファインダー）（111）に1画面表示する。
【００２１】
図3の（e）に（S309）で1画面に表示される第2撮像光学系の広視野角画像の例を示す。LCD(117)又は、EVF（111）には第2広視野角レンズ撮影データによる画像が表示され、第1撮像光学系10の現在の第1レンズの画角範囲枠（d）を合成して表示される。第1レンズはズーム位置を任意に変更可能なレンズである場合、ズーム位置に応じて画角範囲枠（d）のサイズを変更して合成表示する。
【００２２】
図3の(a)（b）（c）に（S310）で1画面に表示される第1撮像光学系のズーム画像の例を示す。LCD(117)又は、EVF（111）には第1レンズ画像データによる画像が表示される。(a) (b) (c)は第1レンズ（11）が例えば35mフィルム換算で10mm〜100mmの焦点距離範囲のズームレンズを有したレンズを装着した場合の画像データであり、それぞれ焦点距離50mm (a)、焦点距離10mm (b)、 焦点距離100mm(c)とそれぞれ画角の異なる画像データを表示する。
【００２３】
図3の（f）に（S313）にて1画面で表示される第1レンズ画像データ内に第2広視野角レンズ撮影データの縮小埋め込み表示をする場合の例を示す。LCD(117)又は、EVF（111）には第1画像データ内に第2画像データを縮小埋め込みされた画像が表示され、第2広視野角レンズ撮影データ内には、第1撮像光学系10の現在の第1レンズの画角範囲枠（d）を縮小し、合成表示される。第1レンズはズーム位置を任意に変更可能なレンズである場合、ズーム位置に応じて画角範囲枠（d）のサイズを変更して表示する。
【００２４】
上記の通り、広視野角の画像内に第1光学系のレンズの撮影画角範囲枠(d)を表示することで、第1光学系のレンズの撮影画像と広視野な周囲画像の関係を視認することができユーザの利便性を高めることができる。また、第1光学系のレンズを交換した際にも同様にレンズのズーム位置に応じた撮影画角範囲枠(d)を表示する機能を提供することができる。
【００２５】
［実施例2］
システム構成は実施例1と同様のため、図1、図2の説明は割愛する。図4に、本実施形態の全体処理フローチャートを示す。システム制御回路(30)が操作スイッチ回路(31)のスイッチ状態を取得し(S100)、操作されたスイッチ状態を判別し(S200)、2画面選択ボタン（14）の2画面表示切替処理モード（S400）が選択された場合の処理ついて説明する。この処理では第1レンズ画像データと第2広視野角レンズの画像データの両方を１つの画面上に並列表示する2画面表示モードと1画面に第1レンズ画像データ表示と第2広視野角レンズ画像データのいずれかの画像データを表示する1画面表示モードのいずれかを選択的に設定する。
【００２６】
図6に、図4における2画面表示切替処理モード（S400）の詳細フローチャートを示す。2画面表示切替処理モードは2画面切替ボタン(114)を押し下げ操作することにより切り替わる。押し下げ操作をする毎に、第1レンズと第2広視野角レンズの両方の画像を1つの画面に並列表示する、2画面モード→どちらか一方を表示する1画面モード→2画面モードと巡回的に切り替わる。2画面切替ボタン(114)が押し下げ操作された場合、現在の表示モードを判別し（S401）、2画面表示モードである場合には、第1レンズ撮影データの取得を開始する（S402）。次に第2広視野角レンズ撮影データの取得を開始する（S403）。次に第1光学系に取り付けられている第1レンズ固有のレンズID情報を取得する（S404）。次に第1レンズの現在のズーム位置（焦点距離）情報を取得する（S405）。次に（S404）と（S405）にて取得した情報から第1レンズの撮影画角範囲枠情報(d)を作成する（S406）。次に第2広視野角レンズ撮影データと第1レンズ撮影データの2画面表示処理（並列表示）を行いLCD(117)又は、EVF（111）に2画面表示する（S407）。次に（S406）にて作成した第1レンズのズーム位置（焦点距離）に応じた撮影画角範囲枠情報(d)を第2広視野角レンズ撮影データに合成表示する（S408）。
【００２７】
図3の（g）に（S408）で2画面（並列表示）される第2撮像光学系の広視野角画像と第1撮像光学系のズーム画像の例を示す。LCD(117)又は、EVF（111）に表示される2画面の左側が第1撮像光学系10の画面例であり、右側が広視野角の第2撮像光学系(20)の画面例である。画面右側は第2広視野角レンズ撮影データによる画像が表示され、第1撮像光学系10の現在の第1レンズの画角範囲枠（d）を合成し、表示する。第1レンズはレンズのズーム位置を任意に変更可能なレンズである場合、ズーム位置に応じて画角範囲枠（d）のサイズを変更して表示する。
【００２８】
上記の通り、広視野角の画像内に第1光学系のレンズの撮影画角範囲枠(d)を表示することで、第1光学系のレンズの撮影画像と広視野な周囲画像の関係を視認することができユーザの利便性を高めることができる。また、画角範囲の異なる2つの光学系の画像をLCD(117)又は、EVF（111）上で2画面同時表示により、第1光学系のレンズの撮影画角範囲枠(d)に移動してくる被写体の撮影をする際の操作性がより向上する。また、レンズを交換した際にも同様にレンズに応じたズーム位置の撮影画角範囲枠(d)を表示する機能を提供することができる。
【００２９】
［実施例3］
システム構成は実施例1と同様のため、図1、図2の説明は割愛する。図4に、本実施形態の全体処理フローチャートを示す。システム制御回路(30)が操作スイッチ回路(31)のスイッチ状態を取得し(S100)、操作されたスイッチ状態を判別し(S200)、接近通知切り替えボタン（115）の接近通知処理モード（S500）が選択された場合の処理ついて説明する。この処理では第2レンズ（21）の画角範囲内における画素の移動から移動する被写体を検知し、ブザー音やランプ表示によりユーザーへ通知、及び自動撮影処理を行う。
【００３０】
図7に、図4における接近通知処理モード（S500）の詳細フローチャートを示す。接近通知処理モードは接近通知切替ボタン(115)を押し下げ操作することより切り替わる。押し下げ操作をする毎に、接近通知処理画面モード→通常撮影モード→接近通知処理画面モードと巡回的に切り替わる。接近通知切替ボタン(115)が押し下げ操作された場合、現在の表示モードを判別し（S501）、接近通知モードである場合には、第2レンズ撮影データの画角範囲内における画素の移動から移動する被写体を検知し、被写体水平移動情報（Hon）（S502）、被写体垂直移動情報（Von）（S503）を算出する。
【００３１】
水平位置情報が閾値以上（Hth2≧Hon≧Hth1）であり、且つ垂直位置情報が閾値以上（Vth2≧Von≧Vth1）で有る場合に（S504）、被写体接近通知の判別設定情報を取得し（S505）、ブザー音が設定されている場合は被写体接近通知をブザー音にてユーザーへ通知する（S506）。一方、（S505）にてランプ表示が設定されている場合は被写体接近通知をランプ表示にて通知する（S509）。次に被写体接近通知時の自動撮影判別設定情報を取得し（S507）、自動撮影モードの場合は、水平位置情報が閾値以上（Hth4≧Hon≧Hth3）であり、且つ垂直位置情報が閾値以上（Vth4≧Von≧Vth3）で有る場合（S508）、自動的に撮影動作処理を行う（S509）。一方、（S507）にて手動撮影モードが設定されている場合は被写体水平移動情報（Hon）の取得（S502）に戻る。
【００３２】
図3の(h）に被写体接近通知にて算出する被写体水平移動情報（Hon）、被写体垂直移動情報（Von）の例を示す。
【００３３】
水平位置情報（Hon）(214)は第2レンズ撮影データのサークル状（円環状）の画像データの円周を0°〜360°で表し、垂直位置情報（Von）(215)は第2レンズ撮影データのサークル状（円環状）の画像データの無画像領域を除く下側半分を例えば0〜100で表す。
【００３４】
上記の通り、広視野角の画像内に第1光学系のレンズの撮影画角範囲枠(d)を表示し、被写体の接近検知を行うことで、期待する画角範囲内に被写体が接近することを容易に確認できる。また、どのようなタイミングで被写体が出現するか予測できないものでも、自動撮影モードを使用することで、期待する画角範囲内で被写体を撮影することができる。
【００３５】
［実施例4］
システム構成は実施例1と同様のため、図1、図2の説明は割愛する。図4に、本実施形態の全体処理フローチャートを示す。システム制御回路(30)が操作スイッチ回路(31)のスイッチ状態を取得し(S100)、操作されたスイッチ状態を判別し(S200)、レリーズボタン（112）の撮影開始処理モード（S600）が選択された場合の処理ついて説明する。
【００３６】
図8に、図4における撮影開始処理モード（S600）の詳細フローチャートを示す。撮影開始処理モードはレリーズボタン112を押し下げ操作することにより撮影開始動作を検出（S601）すると第1撮像光学系10の撮影処理を行い（S602）、次いで第2撮像光学系(20)の撮影処理を行う（S603）。次に第1光学系に取り付けられている第1レンズ固有のレンズ種別情報を取得する（S604）。次に第1レンズの現在のズーム位置（焦点距離）情報を取得する（S605）。次に撮影前の画面表示モードが2画面モードか否かを判別し（S606）、2画面モードである場合には、第2広視野角レンズ撮影データと撮影データ内のExif情報へ（S604）と（S605）で取得した第1レンズ画角枠（d）情報を座標データとして付加し保存する（S607）。一方（S606）にて1画面表示モードである場合には第1レンズ撮影画像データと第2広視野角レンズ撮影データを別のデータとして保存し、第2広視野角レンズ撮影データ内にはExif情報へ（S604）と（S605）で取得した第1レンズ画角枠（d）情報を座標データとして付加し保存する（S608）。
【００３７】
［実施例5］
システム構成は実施例1と同様のため、図1、図2の説明は割愛する。図4に、本実施形態の全体処理フローチャートを示す。システム制御回路(30)が操作スイッチ回路(31)のスイッチ状態を取得し(S100)、操作されたスイッチ状態を判別し(S200)、再生ボタン（116）の保存画像再生処理モード（S700）が選択された場合の処理ついて説明する。
【００３８】
図9に、図4における保存画像再生処理（S700）モードの詳細フローチャートを示す。再生処理モードは再生ボタン(116)を押し下げ操作することにより再生開始動作を検出（S701）すると記録用メモリ（37）から撮影画像データを読み込み（S702）、選択された画像データの情報を解析する（S703）。具体的には、選択された画像が第2レンズ撮影データを含む画像であるか否かを判定する（S704）。第2レンズ撮影データを含む画像である場合には、画像データを画像処理してLCD(117)又は、EVF（エレクトリックビューファインダー）（111）に表示する（S705）。次に撮影データ保存処理を行う際にExifデータへ座標データとして付加した第1レンズの画角範囲枠情報のデータを参照することで、選択された再生画像データに撮影画角範囲枠を合成し表示することができる（S706）。一方選択された再生画像データが第1レンズ撮影データの場合には、選択された画像のみをLCD(117)又は、EVF（111）に表示する（S707）。
【００３９】
上記の通り、広視野角の画像データを再生する際に画像データのExifデータ内の撮影画角範囲枠の座標情報から撮影画角範囲枠(d)を表示することで、撮影後にレンズの撮影画像と広視野な周囲画像の関係を視認することができユーザの利便性を高めることができる。
【００４０】
以上、本発明の好ましい実施形態について説明したが、本発明はこれらの実施形態に限定されず、その要旨の範囲内で種々の変形及び変更が可能である。
【００４１】
例えば第2撮像光学系レンズを本実施形態ではカメラの上部に取り付けたが、カメラを縦の位置に構えて撮影することを想定し、カメラの側面に取り付け可能な構成にしても良い。
【符号の説明】
【００４２】
10  第1撮像光学系
11  第1レンズ（交換式）
12  第1イメージセンサ
13  撮影制御回路
20  第2撮像光学系
21  第2広視野角レンズ
22  第2イメージセンサ
23  撮像制御回路
30  システム制御回路
31  ボタン操作回路
32  不揮発性メモリ
33  ブザー出力回路
34  ランプ表示回路
35  メモリ制御回路
36  画像処理回路
37  記録用メモリ
38  画像処理回路
39  揮発性メモリ
【図１】
2013251783.tif 000003
【図２】
2013251783.tif 000004
【図３（ａ）】
2013251783.tif 000005
【図３（ｂ）】
2013251783.tif 000006
【図３（ｃ）】
2013251783.tif 000007
【図３（ｄ）】
2013251783.tif 000008
【図３（ｅ）】
2013251783.tif 000009
【図３（ｆ）】
2013251783.tif 000010
【図３（ｇ）】
2013251783.tif 000011
【図３（ｈ）】
2013251783.tif 000012
【図４】
2013251783.tif 000013
【図５】
2013251783.tif 000014
【図６】
2013251783.tif 000015
【図７】
2013251783.tif 000016
【図８】
2013251783.tif 000017
【図９】
2013251783.tif 000018